(57)【要約】【課題】杭材に振動を与えて打設するバイブロハンマのチャックに簡単かつ迅速に杭材を装着することができるバイブロハンマの杭材装着方法と杭材装着構造を提供すること。【解決手段】バイブロハンマ１に配設したガイド手段５により案内した導入ワイヤ２の一端を杭材４の頭部に固定し、この導入ワイヤ２の他端側を引っ張って杭材４をバイブロハンマ１に接近させ、ガイド手段５で導入ワイヤ２を案内しながら杭材４の頭部をチャック１２に差し込むようにした。【選択図】      図１
2004238835.tif 000002
【特許請求の範囲】
【請求項１】
杭材に振動を与えて打設するバイブロハンマのチャックに杭材を装着する杭材装着方法であって、
前記バイブロハンマに配設されたガイド手段により案内した導入ワイヤの一端を前記杭材の頭部側に固定し、
その後、該導入ワイヤの他端側を引っ張って該杭材を該バイブロハンマに接近させ、該ガイド手段で該導入ワイヤを案内して該杭材の頭部を前記チャックに差し込むことを特徴としたバイブロハンマの杭材装着方法。
【請求項２】
前記バイブロハンマのチャックが挟持すべき前記杭材の挟持面の両側に前記導入ワイヤの一端を固定した請求項１記載のバイブロハンマの杭材装着方法。
【請求項３】
前記ガイド手段がリング材から成り、該リング材に前記導入ワイヤを挿通して該リング材で該導入ワイヤを案内する請求項１または請求項２記載のバイブロハンマの杭材装着方法。
【請求項４】
前記導入ワイヤの他端側を、前記バイブロハンマを主ワイヤで吊るクレーンの補助ワイヤに連結し、該クレーンの補助ウインチによって該補助ワイヤを介して該導入ワイヤを引っ張る請求項１乃至請求項３のいずれかに記載のバイブロハンマの杭材装着方法。
【請求項５】
杭材に振動を与えて打設するバイブロハンマのチャックに杭材を装着する杭材装着構造であって、
一端を前記杭材の頭部側に固定して該杭材を吊り上げる導入ワイヤと、
前記バイブロハンマに配設され、該導入ワイヤで該杭材を吊ったとき、該杭材の頭部が前記チャックの下方に位置するように該導入ワイヤを案内するガイド手段と、を含むことを特徴としたバイブロハンマの杭材装着構造。
【請求項６】
前記ガイド手段が、前記導入ワイヤを挿通するリング材から成る請求項５記載のバイブロハンマの杭材装着構造。
【発明の詳細な説明】
【０００１】
【発明の属する技術分野】
本発明は、バイブロハンマの杭材装着方法と杭材装着構造に関し、より詳しくは、杭材に振動を与えて打設するバイブロハンマのチャックに杭材を簡単に装着できるバイブロハンマの杭材装着方法と、同法に使用する杭材装着構造に関するものである。
【０００２】
【従来の技術】
従来、Ｈ形鋼、矢板等の杭材をバイブロハンマで打設する場合、予めバイブロハンマをクレーンで吊り下げておき、地面等に横置きしてある杭材を同クレーンの補助ワイヤで吊り上げ、この杭材の頭部にバイブロハンマのチャックを差し込んで装着するのが一般的である。しかし、この方法は、ワイヤで吊ったバイブロハンマのチャックと、同じくワイヤで吊った杭材の頭部との位置合わせや差し込み作業に熟練したクレーン操作技術が必要であり、手間がかかる難点があった。また、風がある場合、杭材やバイブロハンマがふらついて装着作業が更に手間取ることになり、また、危険な作業を強いられた。
【０００３】
そこで、従来、バイブロハンマのチャックをハンマ本体に対し回動可能に構成したチャック構造が提案されている（特許文献１参照）。これは、横置きされた杭材の頭部を横向きにしたチャックで挟持し、そのままバイブロハンマを吊り上げて、杭材を起立させるに従ってチャックを下向き姿勢に戻してゆくというものである。
【０００４】
しかしながら、このチャック構造は、チャックを回動可能に構成した分バイブロハンマの構造が複雑化すると共に、チャック回動部の振動伝達性、耐振性等を考慮しなければならず、バイブロハンマのコスト高を招く難点があった。また、杭材を装着する度、重量の大きいバイブロハンマを地面近くまで下げ、そして、杭材と共に再び吊り上げる作業を行う必要があり、かかるバイブロハンマの上下自体に時間がかかる難点があった。
【０００５】
【特許文献１】
実開平７−２９０２０号公報
【０００６】
【発明が解決しようとする課題】
本発明は、従来のバイブロハンマの杭材装着作業に上記のような問題があったことに鑑みて為されたもので、簡単かつ迅速に杭材をチャックに装着することができるバイブロハンマの杭材装着方法と杭材装着構造を提供することにある。
【０００７】
【課題を解決するための手段】
本発明のバイブロハンマの杭材装着方法は、杭材に振動を与えて打設するバイブロハンマのチャックに杭材を装着する杭材装着方法であって、
前記バイブロハンマに配設されたガイド手段により案内した導入ワイヤの一端を前記杭材の頭部側に固定し、
その後、該導入ワイヤの他端側を引っ張って該杭材を該バイブロハンマに接近させ、該ガイド手段で該導入ワイヤを案内して該杭材の頭部を前記チャックに差し込むことを特徴とする。
【０００８】
なお、ここで、杭材とは、Ｈ形鋼、Ｉ形鋼等の鋼杭、コンクリート杭等を含むことは勿論のこと、例えば、鋼矢板、コンクリート矢板、ＰＣ（プレストレストコンクリート）矢板、鋼管矢板等の各種の矢板を含む。
【０００９】
また、本発明のバイブロハンマの杭材装着方法は、前記バイブロハンマのチャックが挟持すべき前記杭材の挟持面の両側に前記導入ワイヤの一端を固定することを特徴とする。
【００１０】
更にまた、本発明のバイブロハンマの杭材装着方法は、前記ガイド手段がリング材から成り、該リング材に前記導入ワイヤを挿通して該リング材で該導入ワイヤを案内することを特徴とする。
【００１１】
更にまた、本発明のバイブロハンマの杭材装着方法は、前記導入ワイヤの他端側を、前記バイブロハンマを主ワイヤで吊るクレーンの補助ワイヤに連結し、該クレーンの補助ウインチによって該補助ワイヤを介して該導入ワイヤを引っ張ることを特徴とする。
【００１２】
また、本発明のバイブロハンマの杭材装着構造は、杭材に振動を与えて打設するバイブロハンマのチャックに杭材を装着する杭材装着構造であって、
一端を前記杭材の頭部側に固定して該杭材を吊り上げる導入ワイヤと、
前記バイブロハンマに配設され、該導入ワイヤで該杭材を吊ったとき、該杭材の頭部が前記チャックの下方に位置するように該導入ワイヤを案内するガイド手段と、を含むことを特徴とする。
【００１３】
更にまた、本発明のバイブロハンマの杭材装着構造は、前記ガイド手段が、前記導入ワイヤを挿通するリング材から成ることを特徴とする。
【００１４】
【発明の実施の形態】
図１において符号１で指示するものは、杭材に振動を付与するためのバイブロハンマである。バイブロハンマ１の本体１１には、図示しない起振機構が内蔵され、本体１１の下部には杭材を挟持するためのチャック１２が配設されている。チャック１２は、所定の間隔の溝部Ｓを形成する一対のチャック片１３、１５を備えており、図示しない油圧シリンダにより一方のチャック片１３の可動チャッキングプレート１４を、他方のチャック片１５の固定チャッキングプレート１６に接近させることによって、溝部Ｓに差し込んで装着した杭材を挟持する。
【００１５】
また、バイブロハンマ１の上部には吊り金具１７が配設されている。この吊り金具１７に、図示しないクレーンの主フック６１を引っ掛け、そして、クレーンの主ウインチを作動させて主ワイヤ６２でバイブロハンマ１を吊り上げて使用する。なお、図１には、バイブロハンマ１の本体１１に接続される油圧ホース等は図示を省略してある。
【００１６】
図１において符号２で指示するものは、杭材４を吊り上げるための導入ワイヤである。即ち、導入ワイヤ２の下端部２１を固定具３により杭材４の頭部に固定する一方、導入ワイヤ２の上端部２２をクレーンの補助フック７１に引っ掛け、そして、クレーンの補助ウインチを作動させて補助ワイヤ７２で杭材４を吊り上げる。
【００１７】
固定具３は、図４に示すように、頭部に板材３１が溶接されたボルト３２と、座金３３と、ボルト３２の雄ネジに螺合するナット３４とから構成されており、更にこのボルト３２及び板材３１には、留め孔３５が開設された突起３６が溶接されている。この固定具３のボルト３２を杭材４の頭部に開設した固定孔４２に挿通し、このボルト３２の先端に座金３３をセットした後、ナット３４を螺合することによって固定具３を杭材４の頭部に固定する。そして、固定具３の留め孔３５に、図１に示すように、シャックル３７のピンを連結して、導入ワイヤ２の下端部２１を杭材４の頭部に固定する。
【００１８】
本実施形態では、杭材４として、波形のＰＣ矢板部４１の先端にＨ形鋼から成る先杭部４３を突設した複合矢板を例示している。そして、この杭材４の頭部に上記バイブロハンマ１のチャック１２が挟持する挟持面Ｃが形成されている。この杭材４の頭部において挟持面Ｃの両側に二つの固定具３を固定し、これら固定具３にそれぞれ連結した二本の導入ワイヤ２によって杭材４を吊り上げるようにしている。また、杭材４のＰＣ矢板部４１の先端部と、先杭部４３の先端部とには、それぞれ高圧水を噴射するための噴射ノズル４４が配設されており、杭材４をバイブロハンマ１の振動で打設する際、同時に各噴射ノズル４４から高圧水を噴射して地盤等を切削する。
【００１９】
図１において、符号５で指示するものは、上記導入ワイヤ２を案内するためのガイド手段である。ガイド手段５は、バイブロハンマ１の本体１１の外側面に配設されたリング材５１により構成され、このリング材５１の孔に導入ワイヤ２を挿通することにより導入ワイヤ２を案内してワイヤ走行位置を規制する。また、リング材５１は、バイブロハンマ１の本体１１の表裏に対を成して配設されている。即ち、これら一組のリング材５１は、上記二本の導入ワイヤ２で杭材４を吊り下げたとき、杭材４の頭部をチャック１２の溝部Ｓの下方に位置させ、且つ、杭材４の挟持面Ｃをチャック１２のチャッキングプレート１４、１６のプレート面と平行にさせる位置に配設されている。なお、本実施形態では、一組のリング材５１の上方に更にもう一組の第二のリング材５２を配設している。
【００２０】
以下、本実施形態における杭材の装着手順について、図１〜図３を参照しながら説明する。
【００２１】
まず、予め導入ワイヤ２をガイド手段５のリング材５１に挿通しておき、導入ワイヤ２の上端部２２をクレーンの補助フック７１に引っ掛けると共に、バイブロハンマ１をクレーンの主ワイヤ６２で吊り下げておく。そして、導入ワイヤ２の下端部２１を、地面等に横置きされた杭材４の頭部に固定具３を介して固定する（図１参照）。
【００２２】
次いで、クレーンの補助ウインチを作動させて補助ワイヤ７２を介して導入ワイヤ２の上端部２２を引き上げることによって、図２に示すように、杭材４を頭部側から引き起こしながら杭材４の頭部をバイブロハンマ１に接近させる。そして、杭材４を吊り上げることによって、杭材４の頭部をチャック１２の溝部Ｓの下方に位置させると同時に、杭材４の挟持面Ｃをチャック１２のチャッキングプレート１４、１６のプレート面と平行にする。
【００２３】
そして、そのまま、さらに導入ワイヤ２を引き上げて杭材４の頭部をバイブロハンマ１のチャック１２の溝部Ｓに差し込むことによって杭材４をチャック１２に装着するのである（図３参照）。この後、チャック１２のチャッキングプレート１４、１６で杭材４の頭部の挟持面Ｃを挟持して、杭材４を所定位置に立込み打設作業を行なう。
【００２４】
このように、本実施形態によれば、杭材４を導入ワイヤ２で吊ったとき、この導入ワイヤ２がバイブロハンマ１に配設されたガイド手段５で案内されるので、杭材４の頭部を確実にチャック１２の下方に位置させることができ、しかも、導入ワイヤ２で杭材４の頭部をチャック１２の溝部Ｓに導きながら差し入れることができるので、杭材の装着作業を簡単かつ迅速に行うことができる。従来のように、杭材の位置合わせや差し込み作業に熟練したクレーン操作技術が必要となることもなく、また、多少風がある場合でも、バイブロハンマ１に対する杭材４の頭部のふらつきが少なく安全に装着作業を行なうことができる。
【００２５】
また、本実施形態では、杭材４の挟持面Ｃの両側において二本の導入ワイヤ２を固定しているので、これら二本の導入ワイヤ２で杭材４を吊ったとき、杭材４の頭部をチャック１２の溝部Ｓの下方に位置させると同時に、杭材４の挟持面Ｃをチャック１２のチャッキングプレート１４、１６のプレート面と平行にすることができる。このことによって杭材の装着作業をより簡単かつ迅速に行なうことが可能となる。
【００２６】
以上、本発明の一実施形態について説明したが、本発明に係るバイブロハンマの杭材装着方法と杭材装着構造は、その他の形態でも実施し得るものである。
【００２７】
例えば、上記実施形態では、導入ワイヤ２の走行を所定位置に規制するガイド手段５として、リング材５１を採用しているが、本発明は決してこれに限定されるものではなく、例えば、図５に示すように、外れ止め機構８２を備えたフック材８１を、本体１１の外側面に配設してガイド手段８を構成しても良い。このフック材８１は、その開口部に外れ止め片８３がピン８４によって回動可能に軸支されており、この外れ止め片８３が図示しないバネ機構にて開口部を閉じる方向へ常時付勢されている。ガイド手段８として、外れ止め機構付きフック材８１を使用することによって、導入ワイヤ２の中間部位を簡単にガイド手段８に係合させることが可能となり、杭材の装着作業が更に容易になる。また、ガイド手段５として、パイプ材を採用して強度の向上を図るようにしても良い。
【００２８】
また、上記実施形態では、ガイド手段をバイブロハンマ１の本体１１の外側面に配設しているが、バイブロハンマ１のチャック１２に配設しても良く、また、ガイド手段として、導入ワイヤ２を通すガイド孔をバイブロハンマ１の本体１１に開設するようにしても良い。
【００２９】
更にまた、上記実施形態では、クレーンの主ワイヤで吊り下げるタイプのバイブロハンマ１に杭材４を装着する例を説明しているが、本発明は決してこれに限定されるものではなく、例えば、バイブロハンマが起伏アームまたはブームの先端に装着され、これらアーム等によってバイブロハンマが上下動される打設車両等において実施することも可能である。
【００３０】
更にまた、上記実施形態では、導入ワイヤ２の他端側を引っ張る手段として、クレーンの補助ワイヤ及び補助ウインチを利用しているが、例えば、クレーンとは別の引張手段で導入ワイヤ２の他端側を引っ張っても良く、また、このウインチ等から成る引張手段をバイブロハンマ１に設けるようにしても良い。
【００３１】
本発明は、その趣旨を逸脱しない範囲内で当業者の知識に基づき種々の改良、変更、修正を加えた態様で実施し得るものである。また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【００３２】
【発明の効果】
以上のように、本発明によれば、杭材を導入ワイヤで吊ったとき、この導入ワイヤがバイブロハンマに配設されたガイド手段で案内されるので、杭材の頭部を確実にチャックの下方に位置させることができ、しかも、導入ワイヤで杭材の頭部をチャックの溝部に導きながら差し入れることができるので、杭材の装着作業を簡単かつ迅速に行うことができる。従来のように、杭材の位置合わせや差し込み作業に熟練したクレーン操作技術が必要となることもなく、また、多少風がある場合でも、バイブロハンマに対する杭材の頭部のふらつきが少なく安全に装着作業を行なうことができる。
【図面の簡単な説明】
【図１】本発明に係るバイブロハンマの杭材装着構造、及び杭材装着方法の手順を説明する要部斜視図である。
【図２】本発明に係るバイブロハンマの杭材装着方法の手順を説明する要部斜視図である。
【図３】本発明に係るバイブロハンマの杭材装着方法の手順を説明する要部斜視図である。
【図４】本発明のバイブロハンマの杭材装着構造の固定具の一部断面側面図である。
【図５】本発明に係るバイブロハンマの杭材装着構造のガイド手段の変形例の側面図である。
【符号の説明】
１    バイブロハンマ
１１  本体
１２  チャック
２    導入ワイヤ
３    固定具
４    杭材
Ｃ  （杭材の）挟持面
５、８  ガイド手段
５１  リング材
６１  クレーンの主フック
６２  クレーンの主ワイヤ
７１  クレーンの補助フック
７２  クレーンの補助ワイヤ
【図１】
2004238835.tif 000003
【図２】
2004238835.tif 000004
【図３】
2004238835.tif 000005
【図４】
2004238835.tif 000006
【図５】
2004238835.tif 000007